(57)【要約】【課題】対向装置の低消費電力状態を適切に検出すると共に、消費電力を低減できるネットワーク装置、及びネットワーク装置の消費電力低減方法を提供する。【解決手段】他のネットワーク装置である対向装置にネットワーク回線を介して接続するネットワーク装置であって、複数のデータ送信回路と、複数のデータ送信回路それぞれに電力を供給する送信側電力供給部１００と、送信側電力供給部１００から複数のデータ送信回路それぞれへの電力の供給を、データの送信に要する電力を供給する第１送信電力状態と、第１送信電力状態において供給する電力より少ない電力を供給する第２送信電力状態とのいずれかに制御し、複数のデータ送信回路のいずれかが第２送信電力状態になる場合に、第２送信電力状態になることを示す切換情報を対向装置に供給する送信側電力制御部１０６とを備える。【選択図】図１
2011124740.tif 000002
【特許請求の範囲】
【請求項１】
他のネットワーク装置である対向装置にネットワーク回線を介して接続するネットワーク装置であって、
データを送信する複数のデータ送信回路と、
前記複数のデータ送信回路それぞれに電力を供給する送信側電力供給部と、
前記送信側電力供給部から前記複数のデータ送信回路それぞれへの電力の供給を、前記データの送信に要する電力を供給する第１送信電力状態と、前記第１送信電力状態において供給する電力より少ない電力を供給する第２送信電力状態とのいずれかに制御し、前記複数のデータ送信回路のいずれかが前記第２送信電力状態になる場合に、前記第２送信電力状態になることを示す切換情報を前記対向装置に供給する送信側電力制御部と
を備えるネットワーク装置。
【請求項２】
前記送信側電力制御部は、前記複数のデータ送信回路のいずれかが前記第２送信電力状態から前記第１送信電力状態になる場合に、前記第１送信電力状態になることを示す復帰情報を前記対向装置に供給する請求項１に記載のネットワーク装置。
【請求項３】
送信する前記データのデータ量を監視する送信側転送データ量監視部
を更に備え、
前記送信側電力制御部は、前記送信側転送データ量監視部が監視する前記データ量に基づいて前記送信側電力供給部を制御する請求項２に記載のネットワーク装置。
【請求項４】
データを受信する複数のデータ受信回路と、
前記複数のデータ受信回路それぞれに電力を供給する受信側電力供給部と、
前記受信側電力供給部から前記複数のデータ受信回路それぞれへの電力の供給を、前記データの受信に要する電力を供給する第１受信電力状態と、前記第１受信電力状態において供給する電力より少ない電力を供給する第２受信電力状態とのいずれかに制御し、前記切換情報を受け取った場合、前記第２送信電力状態になる前記対向装置のデータ送信回路に接続しているデータ受信回路を前記第２受信電力状態にする受信側電力制御部とを更に備える請求項３に記載のネットワーク装置。
【請求項５】
前記受信側電力制御部は、前記復帰情報を受け取った場合、前記第１送信電力状態になる前記対向装置のデータ送信回路に接続しているデータ受信回路を前記第１受信電力状態にする請求項４に記載のネットワーク装置。
【請求項６】
ネットワーク回線を介して他のネットワーク装置である対向装置に接続するネットワーク装置の消費電力を低減するネットワーク装置の消費電力低減方法であって、
データを送信する複数のデータ送信回路それぞれに電力を供給する送信側電力供給段階と、
前記送信側電力供給段階における前記複数のデータ送信回路それぞれへの電力の供給を、前記データの送信に要する電力を供給する第１送信電力状態と、前記第１送信電力状態において供給する電力より少ない電力を供給する第２送信電力状態とのいずれかに制御する送信電力状態制御段階と、
前記複数のデータ送信回路のいずれかが前記第２送信電力状態になる場合に、前記第２送信電力状態になることを示す切換情報を前記対向装置に供給する送信側電力制御段階と
を備えるネットワーク装置の消費電力低減方法。
【請求項７】
前記送信側電力制御段階は、前記複数のデータ送信回路のいずれかが前記第２送信電力状態から前記第１送信電力状態になる場合に、前記第１送信電力状態になることを示す復帰情報を前記対向装置に供給する請求項６に記載のネットワーク装置の消費電力低減方法。
【請求項８】
送信する前記データのデータ量を監視する送信側転送データ量監視段階
を更に備え、
前記送信側電力制御段階は、前記送信側転送データ量監視段階において監視される前記データ量に基づいて前記送信側電力供給段階における前記複数のデータ送信回路それぞれへの電力の供給を制御する請求項７に記載のネットワーク装置の消費電力低減方法。
【請求項９】
データを受信する複数のデータ受信回路それぞれに電力を供給する受信側電力供給段階と、
前記受信側電力供給段階における前記複数のデータ受信回路それぞれへの電力の供給を、前記データの受信に要する電力を供給する第１受信電力状態と、前記第１受信電力状態において供給する電力より少ない電力を供給する第２受信電力状態とのいずれかに制御する受信電力状態制御段階と、
前記切換情報を受け取った場合、前記第２送信電力状態になる前記対向装置のデータ送信回路に接続しているデータ受信回路を前記第２受信電力状態にする受信側電力制御段階と
を更に備える請求項８に記載のネットワーク装置の消費電力低減方法。
【請求項１０】
前記受信側電力制御段階は、前記復帰情報を受け取った場合、前記第１送信電力情報になる前記対向装置のデータ送信回路に接続しているデータ受信回路を前記第１受信電力状態にする請求項９に記載のネットワーク装置の消費電力低減方法。
【発明の詳細な説明】
【技術分野】
【０００１】
本発明は、ネットワーク装置、及びネットワーク装置の消費電力低減方法に関する。特に、本発明は、消費電力を低減することのできるネットワーク装置、及びネットワーク装置の消費電力低減方法に関する。
【背景技術】
【０００２】
近年、インターネット等の通信網における情報の転送量の増大に伴い、通信網を構成するネットワーク装置、例えば、スイッチングハブ、ルータ、サーバ、ストレージ等の消費電力が増大している。そこで、従来、ＩＥＥＥ８０２．１ａｄにより標準化されているリンクアグリゲーションを設定し、ネットワーク装置の間を複数の回線で接続する場合における消費電力を低減するネットワーク装置が知られている。
【０００３】
例えば、複数の回線に接続され、複数の転送リソースを用いてデータの転送を行うデータ転送制御装置であって、データ転送制御装置の負荷に基づいて、複数の転送リソースの作動状態を、データ転送が可能な転送可能状態と、少なくとも消費電力と転送可能状態への遷移時間の少なくとも一方が相互に相違する転送が不可能な複数の待機状態とのいずれかに指定し、指定された作動状態になるように複数の転送リソースを管理する転送リソース管理部と、転送可能状態に指定された転送リソースに対して、データを振り分ける負荷振分部とを備えるデータ転送制御装置が知られている（例えば、特許文献１参照。）。
【０００４】
特許文献１に記載のデータ転送制御装置によれば、データの転送量を監視し、データの転送量が少ない時に複数の回線それぞれに接続する複数の送受信回路のうち、一部の送受信回路への供給電力を減少させ、当該一部の送受信回路を低消費電力状態にすることにより消費電力を低減できる。
【先行技術文献】
【特許文献】
【０００５】
【特許文献１】特開２００９−３３６９１号公報
【発明の概要】
【発明が解決しようとする課題】
【０００６】
しかし、特許文献１に記載されているようなデータ転送制御装置においては、複数の送受信回路の中の所定の送受信回路を低消費電力状態にした場合、低消費電力状態にした送受信回路にネットワーク回線を介して接続されている対向装置の送受信回路は、当該所定の送受信回路が低消費電力状態であることを検出することができない。そのため、対向装置の送受信回路は、当該所定の送受信回路が低消費電力状態になっていることを検出するのではなく、ネットワーク回線に障害が発生したと誤って検出する場合があり、対向装置において本来は要さない障害回避動作等が発生する場合がある。
【０００７】
したがって、本発明の目的は、対向装置の低消費電力状態を適切に検出すると共に、消費電力を低減できるネットワーク装置、及びネットワーク装置の消費電力低減方法を提供することにある。
【課題を解決するための手段】
【０００８】
本発明は、上記目的を達成するため、他のネットワーク装置である対向装置にネットワーク回線を介して接続するネットワーク装置であって、データを送信する複数のデータ送信回路と、複数のデータ送信回路それぞれに電力を供給する送信側電力供給部と、送信側電力供給部から複数のデータ送信回路それぞれへの電力の供給を、データの送信に要する電力を供給する第１送信電力状態と、第１送信電力状態において供給する電力より少ない電力を供給する第２送信電力状態とのいずれかに制御し、複数のデータ送信回路のいずれかが第２送信電力状態になる場合に、第２送信電力状態になることを示す切換情報を対向装置に供給する送信側電力制御部とを備えるネットワーク装置が提供される。
【０００９】
また、上記ネットワーク装置において、送信側電力制御部は、複数のデータ送信回路のいずれかが第２送信電力状態から第１送信電力状態になる場合に、第１送信電力状態になることを示す復帰情報を対向装置に供給することもできる。
【００１０】
また、上記ネットワーク装置において、送信するデータのデータ量を監視する送信側転送データ量監視部を更に備え、送信側電力制御部は、送信側転送データ量監視部が監視するデータ量に基づいて送信側電力供給部を制御することもできる。
【００１１】
また、上記ネットワーク装置において、データを受信する複数のデータ受信回路と、複数のデータ受信回路それぞれに電力を供給する受信側電力供給部と、受信側電力供給部から複数のデータ受信回路それぞれへの電力の供給を、データの受信に要する電力を供給する第１受信電力状態と、第１受信電力状態において供給する電力より少ない電力を供給する第２受信電力状態とのいずれかに制御し、切換情報を受け取った場合、第２送信電力状態になる対向装置のデータ送信回路に接続しているデータ受信回路を第２受信電力状態にする受信側電力制御部とを更に備えることもできる。
【００１２】
また、上記ネットワーク装置において、受信側電力制御部は、復帰情報を受け取った場合、第１送信電力状態になる対向装置のデータ送信回路に接続しているデータ受信回路を第１受信電力状態にすることもできる。
【００１３】
また、本発明は、上記目的を達成するため、ネットワーク回線を介して他のネットワーク装置である対向装置に接続するネットワーク装置の消費電力を低減するネットワーク装置の消費電力低減方法であって、データを送信する複数のデータ送信回路それぞれに電力を供給する送信側電力供給段階と、送信側電力供給段階における複数のデータ送信回路それぞれへの電力の供給を、データの送信に要する電力を供給する第１送信電力状態と、第１送信電力状態において供給する電力より少ない電力を供給する第２送信電力状態とのいずれかに制御する送信電力状態制御段階と、複数のデータ送信回路のいずれかが第２送信電力状態になる場合に、第２送信電力状態になることを示す切換情報を対向装置に供給する送信側電力制御段階とを備えるネットワーク装置の消費電力低減方法が提供される。
【００１４】
また、上記ネットワーク装置の消費電力低減方法において、送信側電力制御段階は、複数のデータ送信回路のいずれかが第２送信電力状態から第１送信電力状態になる場合に、第１送信電力状態になることを示す復帰情報を対向装置に供給することもできる。
【００１５】
また、上記ネットワーク装置の消費電力低減方法において、送信するデータのデータ量を監視する送信側転送データ量監視段階を更に備え、送信側電力制御段階は、送信側転送データ量監視段階において監視されるデータ量に基づいて送信側電力供給段階における複数のデータ送信回路それぞれへの電力の供給を制御することもできる。
【００１６】
また、上記ネットワーク装置の消費電力低減方法において、データを受信する複数のデータ受信回路それぞれに電力を供給する受信側電力供給段階と、受信側電力供給段階における複数のデータ受信回路それぞれへの電力の供給を、データの受信に要する電力を供給する第１受信電力状態と、第１受信電力状態において供給する電力より少ない電力を供給する第２受信電力状態とのいずれかに制御する受信電力状態制御段階と、切換情報を受け取った場合、第２送信電力状態になる対向装置のデータ送信回路に接続しているデータ受信回路を第２受信電力状態にする受信側電力制御段階とを更に備えることもできる。
【００１７】
また、上記ネットワーク装置の消費電力低減方法において、受信側電力制御段階は、復帰情報を受け取った場合、第１送信電力情報になる対向装置のデータ送信回路に接続しているデータ受信回路を第１受信電力状態にすることもできる。
【発明の効果】
【００１８】
本発明に係るネットワーク装置、及びネットワーク装置の消費電力低減方法によれば、対向装置の低消費電力状態を適切に検出すると共に、消費電力を低減できるネットワーク装置、及びネットワーク装置の消費電力低減方法を提供できる。
【図面の簡単な説明】
【００１９】
【図１】本発明の実施の形態に係るネットワーク装置が備える送信ユニットの機能構成ブロック図である。
【図２】本発明の実施の形態に係るネットワーク装置が備える受信ユニットの機能構成ブロック図である。
【図３Ａ】本発明の実施の形態に係るネットワーク装置の概要図である。
【図３Ｂ】本発明の実施の形態に係るネットワーク装置の動作の流れを示す図である。
【発明を実施するための形態】
【００２０】
［実施の形態の概要］
他のネットワーク装置である対向装置に複数のネットワーク回線を介して接続するネットワーク装置において、データを送信する複数のデータ送信回路と、前記複数のデータ送信回路それぞれに電力を供給する送信側電力供給部と、前記送信側電力供給部から前記複数のデータ送信回路それぞれへの電力の供給を、前記データの送信に要する電力を供給する第１送信電力状態と、前記第１送信電力状態において供給する電力より少ない電力を供給する第２送信電力状態とのいずれかに制御し、前記複数のデータ送信回路のいずれかが前記第２送信電力状態になる場合に、前記第２送信電力状態になることを示す切換情報を前記対向装置に供給する送信側電力制御部とを備えるネットワーク装置が提供される。
【００２１】
本実施の形態に係るネットワーク装置は、送信ユニット１０と受信ユニット２０とを備える。そして、本実施の形態に係るネットワーク装置においては、送信ユニット１０と受信ユニット２０とから一つのデータ送受信回路が構成される。実施の形態の説明においては、説明の便宜上、送信ユニット１０と受信ユニット２０とを別々に記載し、説明する。以下、送信ユニット１０、受信ユニット２０の順に説明する。
【００２２】
［実施の形態］
（送信ユニット１０）
図１は、本発明の実施の形態に係るネットワーク装置が備える送信ユニットの機能構成ブロックの一例を示す。
【００２３】
本実施の形態に係る送信ユニット１０は、送信側電力供給部１００と、送信側データ振り分け部１０２と、送信側転送データ量監視部１０４と、送信側電力制御部１０６と、データを送信するデータ送信回路１０８、データ送信回路１１０、及びデータ送信回路１１２とを備える。また、データ送信回路１０８乃至データ送信回路１１２はそれぞれ送信ポートを有する（図示しない）。なお、図１の例では三つのデータ送信回路を図示したが、データ送信回路の数は三つに限られず、二つ以上であればよい。
【００２４】
また、本実施の形態に係るネットワーク装置においては、データ送信回路１０８乃至データ送信回路１１２が有する三つの送信ポートがリンクアグリゲーションに設定されている。そして、データ送信回路１０８乃至データ送信回路１１２は、ネットワーク回線１２０ａ乃至ネットワーク回線１２０ｃを介して本実施の形態に係るネットワーク装置と同一の構成、及び機能を備える対向装置としてのネットワーク装置に接続している。
【００２５】
また、送信側電力供給部１００とデータ送信回路１０８とは電力線１１６ａにより接続され、送信側電力供給部１００とデータ送信回路１１０とは電力線１１６ｂにより接続され、送信側電力供給部１００とデータ送信回路１１２とは電力線１１６ｃにより接続される。更に、送信側データ振り分け部１０２とデータ送信回路１０８とは内部回線１１４ａにより接続され、送信側データ振り分け部１０２とデータ送信回路１１０とは内部回線１１４ｂにより接続され、送信側データ振り分け部１０２とデータ送信回路１１２とは内部回線１１４ｃにより接続される。
【００２６】
更に、送信側データ振り分け部１０２と送信側電力制御部１０６とは信号線１１８ａにより接続され、送信側データ振り分け部１０２と送信側転送データ量監視部１０４とは信号線１１８ｂにより接続され、送信側転送データ量監視部１０４と送信側電力制御部１０６とは信号線１１８ｃにより接続される。そして、データ送信回路１０８はネットワーク回線１２０ａに接続され、データ送信回路１１０はネットワーク回線１２０ｂに接続され、データ送信回路１１２はネットワーク回線１２０ｃに接続される。送信側データ振り分け部１０２は、内部回線１１５により、ネットワーク装置の内部と接続される。ネットワーク装置の内部には、例えば、データの転送を処理するデータ転送部が設けられる（図示しない）。
【００２７】
（送信側電力供給部１００）
送信側電力供給部１００は、送信側電力制御部１０６に制御され、電力線１１６ａを介してデータ送信回路１０８に電力を供給する。同様に、送信側電力供給部１００は、送信側電力制御部１０６に制御され、電力線１１６ｂを介してデータ送信回路１１０に電力を供給し、電力線１１６ｃを介してデータ送信回路１１２に電力を供給する。
【００２８】
（送信側データ振り分け部１０２）
送信側データ振り分け部１０２は、ネットワーク装置の外部に送信する情報（例えば、フレーム等のデータ）をネットワーク装置の内部から受け取る。そして、送信側データ振り分け部１０２は、予め定められたアルゴリズムに基づいて、受け取った情報を内部回線１１４ａ、内部回線１１４ｂ、又は内部回線１１４ｃのいずれかに振り分ける。例えば、送信側データ振り分け部１０２は、受け取った情報に含まれる送信元情報、宛先情報等に基づいて、当該情報の送信先を決定する。そして、送信側データ振り分け部１０２は、決定した送信先に対応するネットワーク回線に接続している送信ポートを有するデータ送信回路に当該情報を振り分ける。
【００２９】
一例として、データ送信回路１０８乃至データ送信回路１１２はそれぞれ、１０Ｍｂ／ｓの回線使用許容量を有する。この場合に、送信側データ振り分け部１０２が２５Ｍｂ／ｓの情報を受け取った場合、送信側データ振り分け部１０２は、予め定められたアルゴリズムに基づいて、当該情報をデータ送信回路１０８乃至データ送信回路１１２のいずれか、又は二つ以上のデータ送信回路に振り分ける。当該情報を受け取ったデータ送信回路は、ネットワーク回線から当該情報を送信先に向けて送信する。
【００３０】
（送信側転送データ量監視部１０４）
送信側転送データ量監視部１０４は、送信側データ振り分け部１０２が受け取る情報（すなわち、データ）のデータ量の総量を監視する。具体的に、送信側転送データ量監視部１０４は、送信側データ振り分け部１０２が受け取る情報の総量を示すデータ量情報を、信号線１１８ｂを介して送信側データ振り分け部１０２から取得する。例えば、送信側転送データ量監視部１０４は、予め定められた時間ごとにデータ量情報を取得する。送信側転送データ量監視部１０４は、取得したデータ量情報を送信側電力制御部１０６に信号線１１８ｃを介して供給する。
【００３１】
（送信側電力制御部１０６）
送信側電力制御部１０６は、送信側電力供給部１００から複数のデータ送信回路それぞれへの電力の供給を、データの送信に要する電力を供給する第１送信電力状態（すなわち、通常送信状態）と、第１送信電力状態において供給する電力より少ない電力を供給する第２送信電力状態（すなわち、低消費電力送信状態）とのいずれかに制御する。具体的に、送信側電力制御部１０６は、送信側転送データ量監視部１０４が監視するデータ量に基づいて送信側電力供給部１００の動作を制御する。
【００３２】
より具体的に、送信側電力制御部１０６は、予め定められたデータ量の閾値を保持する。更に、送信側電力制御部１０６は、送信側転送データ量監視部１０４から受け取るデータ量情報が示すデータ量の値と、当該閾値とを比較する。そして、送信側電力制御部１０６は、比較結果に基づいて送信側電力供給部１００の動作を制御する。
【００３３】
例えば、送信側電力制御部１０６は、データ量情報が示すデータ量の値が当該閾値を下回った場合、複数のデータ送信回路のうち、所定のデータ送信回路への電力の供給を停止させるか、若しくは所定のデータ送信回路への電力の供給量を通常送信状態より低減させることを目的として、送信側電力供給部１００から各データ送信回路への電力の供給量の制御を指示する低消費電力送信制御情報を送信側電力供給部１００に供給する。送信側電力供給部１００は、受け取った低消費電力送信制御情報に応じて、各データ送信回路への電力の供給量を制御する。この場合において、送信側電力制御部１０６は、予め定められた時間を経過した後、所定のデータ送信回路への電力の供給量を停止、若しくは低減させる制御情報を低消費電力送信制御情報に含ませる。当該制御情報を含む低消費電力送信制御情報に応じ、送信側電力制御部１０６は、送信側電力供給部１００からデータ送信回路への電力の供給を停止させるか、若しくは電力の供給量を通常送信状態より低減させる。
【００３４】
更に、送信側電力制御部１０６は、所定のデータ送信回路が低消費電力送信状態になることを示す切換情報（すなわち、第１の通信信号）を、対向装置としての他のネットワーク装置に供給する。具体的に、送信側電力制御部１０６は、複数のデータ送信回路のいずれかが低消費電力送信状態になる場合（若しくは、なる前）に、切換情報を対向装置に供給すべく、送信側データ振り分け部１０２に切換情報を供給する。送信側データ振り分け部１０２は、切換情報を受け取り、低消費電力送信状態になることが予定されている所定のデータ送信回路を除く他のデータ送信回路に情報を振り分ける動作を実行する。
【００３５】
更に、送信側データ振り分け部１０２は、対向装置に向けて送信すべき情報に切換情報を挿入する。そして、送信側データ振り分け部１０２は、切換情報が挿入された情報を、低消費電力送信状態になることが予定されている所定のデータ送信回路を除く他のデータ送信回路のいずれか、若しくはすべてに供給する。これにより、切換情報が挿入された情報は、他のデータ送信回路のいずれか、若しくはすべてから対向装置としてのネットワーク装置に送信される。
【００３６】
例えば、送信側電力制御部１０６が、送信データ量の閾値として「１８Ｍｂ／ｓ」という値を保持しており、送信側転送データ量監視部１０４から受け取ったデータ量情報が示すデータ量の値が当該閾値よりも低い場合に、データ送信回路１１２を低消費電力送信状態にすると設定されている場合を説明する。
【００３７】
まず、送信側電力制御部１０６は、送信側電力供給部１００からデータ送信回路１０８乃至データ送信回路１１２それぞれへの電力の供給を通常送信状態に制御している。そして、送信側転送データ量監視部１０４から受け取ったデータ量情報が示すデータ量の値が１８Ｍｂ／ｓより大きいことを示す場合、送信側電力制御部１０６は、送信側転送データ量監視部１０４から受け取ったデータ量情報が示すデータの値が閾値より大きいと判断する。この場合、送信側電力制御部１０６は、送信側電力供給部１００に低消費電力送信制御情報を供給しない。したがって、各データ送信回路はいずれも通常送信状態に制御され続ける。これにより、送信側データ振り分け部１０２は、データ送信回路１０８乃至データ送信回路１１２のいずれか、又は２つ以上に当該情報を振り分ける。
【００３８】
一方、送信側転送データ量監視部１０４から受け取ったデータ量情報が、例えば、１５Ｍｂ／ｓを示す場合、送信側電力制御部１０６は、送信側転送データ量監視部１０４から受け取ったデータ量情報が示すデータ量の値が閾値より小さいと判断する。この場合、送信側電力制御部１０６は、送信側電力供給部１００に電源制御線１１９を介してデータ送信回路１１２への電力の供給を停止する命令を含む低消費電力送信制御情報を供給する。低消費電力送信制御情報を受け取った送信側電力供給部１００は、データ送信回路１１２への電力の供給を、予め定められた時間を経過した後、停止する。
【００３９】
また、送信側電力制御部１０６は、低消費電力送信制御情報を送信側電力供給部１００に供給した後、若しくは供給すると同時に、信号線１１８ａを介して送信側データ振り分け部１０２に切換情報を供給する。切換情報を受け取った送信側データ振り分け部１０２は、対向装置に送信すべき情報をデータ送信回路１０８及び／又はデータ送信回路１１０に振り分ける。これにより、データ送信回路１０８及びデータ送信回路１１０が情報の送信を実行することになる。
【００４０】
更に、送信側データ振り分け部１０２は、対向装置に送信する情報に切換情報を挿入する。そして、送信側データ振り分け部１０２は、切換情報が挿入された情報を、データ送信回路１０８及び／又はデータ送信回路１１０から対向装置に送信させる。なお、送信側電力制御部１０６は、所定のデータ送信回路が低消費電力送信状態になることを示す切換情報と共に、所定のデータ送信回路が低消費電力送信状態になることを送信側データ振り分け部１０２に通知する切換通知情報を別途生成することもできる。この場合、送信側データ振り分け部１０２は、切換通知情報の受け取りに応じて、対向装置に送信すべき情報をデータ送信回路１０８及び／又はデータ送信回路１１０に振り分ける。
【００４１】
次に、送信側電力制御部１０６が送信側転送データ量監視部１０４から受け取ったデータ量情報が示すデータ量の値が、送信データ量の閾値を下回る状態から上回る状態に変化した場合、送信側電力制御部１０６は、データ送信回路１１２への電力の供給を低消費電力送信状態から通常送信状態にすべく、送信側電力供給部１００を制御する。
【００４２】
具体的に、送信側転送データ量監視部１０４から送信側電力制御部１０６が受け取ったデータ量情報が示すデータ量の値が、送信データ量の閾値を下回る値から上回る値に変化した場合、送信側電力制御部１０６は、送信側転送データ量監視部１０４から受け取ったデータ量情報が示すデータ量の値が閾値より大きいと判断する。この場合、送信側電力制御部１０６は、電源制御線１１９を介してデータ送信回路１１２への電力の供給を開始する命令を含む通常送信状態制御情報を送信側電力供給部１００に供給する。通常送信状態制御情報を受け取った送信側電力供給部１００は、データ送信回路１１２への電力の供給を開始する。この場合において、送信側電力制御部１０６は、直ちに所定のデータ送信回路への電力の供給を開始させる制御情報を通常送信状態制御情報に含ませる。
【００４３】
また、送信側電力制御部１０６は、複数のデータ送信回路のいずれかが低消費電力送信状態から通常送信状態になる場合に、通常送信状態になることを示す復帰情報（すなわち、第２の通信信号）を対向装置に、複数のデータ送信回路のいずれかから事前に供給する。具体的に、送信側電力制御部１０６は、通常送信状態制御情報を送信側電力供給部１００に供給すると同時に、信号線１１８ａを介して送信側データ振り分け部１０２に復帰情報を供給する。復帰情報を受け取った送信側データ振り分け部１０２は、復帰情報を受け取った後、予め定められた時間の経過後に、データ送信回路１０８乃至データ送信回路１１２に情報を振り分ける。これにより、データ送信回路１０８乃至データ送信回路１１２が情報の送信を実行することになる。
【００４４】
更に、送信側データ振り分け部１０２は、対向装置に送信する情報に復帰情報を挿入する。そして、送信側データ振り分け部１０２は、復帰情報が挿入された情報を、データ送信回路１０８及び／又はデータ送信回路１１０から対向装置に送信させる。なお、送信側電力制御部１０６は、所定のデータ送信回路が通常送信状態になることを示す復帰情報と共に、所定のデータ送信回路が通常送信状態になることを送信側データ振り分け部１０２に通知する復帰通知情報を別途生成することもできる。この場合、送信側データ振り分け部１０２は、復帰通知情報の受け取りに応じて、対向装置に送信すべき情報をデータ送信回路１０８乃至データ送信回路１１２に振り分ける。
【００４５】
（受信ユニット２０）
図２は、本発明の実施の形態に係るネットワーク装置が備える受信ユニットの機能構成ブロックの一例を示す。
【００４６】
本実施の形態に係る受信ユニット２０は、複数のデータ受信回路それぞれに電力を供給する受信側電力供給部２００と、受信側データ振り分け部２０２と、受信側転送データ量監視部２０４と、受信側電力制御部２０６と、データを受信するデータ受信回路２０８、データ受信回路２１０、及びデータ受信回路２１２とを備える。また、データ受信回路２０８乃至データ受信回路２１２はそれぞれ受信ポートを有する（図示しない）。なお、図２の例では三つのデータ受信回路を図示したが、データ受信回路の数は三つに限られず、二つ以上であればよい。また、データ受信回路２０８乃至データ受信回路２１２は、ネットワーク回線２２０ａ乃至ネットワーク回線２２０ｃを介して本実施の形態に係るネットワーク装置と同一の構成、及び機能を備える対向装置としてのネットワーク装置に接続している。
【００４７】
また、受信側電力供給部２００とデータ受信回路２０８とは電力線２１６ａにより接続され、受信側電力供給部２００とデータ受信回路２１０とは電力線２１６ｂにより接続され、受信側電力供給部２００とデータ受信回路２１２とは電力線２１６ｃにより接続される。更に、受信側データ振り分け部２０２とデータ受信回路２０８とは内部回線２１４ａにより接続され、受信側データ振り分け部２０２とデータ受信回路２１０とは内部回線２１４ｂにより接続され、受信側データ振り分け部２０２とデータ受信回路２１２とは内部回線２１４ｃにより接続される。
【００４８】
更に、受信側データ振り分け部２０２と受信側電力制御部２０６とは信号線２１８ａにより接続され、受信側データ振り分け部２０２と受信側転送データ量監視部２０４とは信号線２１８ｂにより接続され、受信側転送データ量監視部２０４と受信側電力制御部２０６とは信号線２１８ｃにより接続される。そして、データ受信回路２０８はネットワーク回線２２０ａに接続され、データ受信回路２１０はネットワーク回線２２０ｂに接続され、データ受信回路２１２はネットワーク回線２２０ｃに接続される。受信側データ振り分け部２０２は、内部回線２１５により、ネットワーク装置の内部と接続される。
【００４９】
なお、受信側電力供給部２００は送信側電力供給部１００と略同一の機能を有し、受信側データ振り分け部２０２は送信側データ振り分け部１０２と略同一の機能を有する。また、受信側転送データ量監視部２０４は送信側転送データ量監視部１０４と略同一の機能を有し、受信側電力制御部２０６は送信側電力制御部１０６と略同一の機能を有する。したがって、以下の説明においては、主として相違点を説明する。
【００５０】
（対向装置から切換情報を受信する場合）
データ受信回路２０８、データ受信回路２１０、又はデータ受信回路２１２は、対向装置から切換情報を受信する。データ受信回路２０８、データ受信回路２１０、又はデータ受信回路２１２は、受信した切換情報を受信側データ振り分け部２０２に供給する。そして、受信側データ振り分け部２０２は、信号線２１８ａを介して受信側電力制御部２０６に受け取った切換情報を供給する。
【００５１】
受信側電力制御部２０６は、受信側電力供給部２００から複数のデータ受信回路それぞれへの電力の供給を、データの受信に要する電力を供給する第１受信電力状態（すなわち、通常受信状態）と、通常状態において供給する電力より少ない電力を供給する第２受信電力状態（すなわち、低消費電力受信状態）とのいずれかに制御する。受信側電力制御部２０６は、切換情報を受け取った場合、第２送信電力状態になる対向装置のデータ送信回路に接続しているデータ受信回路を第２受信電力状態に制御する。すなわち、受信側電力制御部２０６は、受信側電力供給部２００を制御して、対向装置のデータ送信回路に接続しているデータ受信回路を第２受信電力状態にする。
【００５２】
（対向装置から復帰情報を受信する場合）
データ受信回路２０８、データ受信回路２１０、又はデータ受信回路２１２は、対向装置から復帰情報を受信する。データ受信回路２０８、データ受信回路２１０、又はデータ受信回路２１２は、受信した復帰情報を受信側データ振り分け部２０２に供給する。そして、受信側データ振り分け部２０２は、信号線２１８ａを介して受信側電力制御部２０６に受け取った復帰情報を供給する。
【００５３】
受信側電力制御部２０６は、復帰情報を受け取った場合、第１送信電力状態になる対向装置のデータ送信回路に接続しているデータ受信回路を第１受信電力状態に制御する。すなわち、受信側電力制御部２０６は、受信側電力供給部２００を制御して、対向装置のデータ送信回路に接続しているデータ受信回路を第１受信電力状態にする。
【００５４】
（ネットワーク装置の動作）
図３Ａは、本発明の実施の形態に係るネットワーク装置の概要を示し、図３Ｂは、本発明の実施の形態に係るネットワーク装置の動作の流れの一例を示す。
【００５５】
図３Ａに示すように、ネットワーク装置１とネットワーク装置２とデータ回線３００ａ、データ回線３００ｂ、及びデータ回線３００ｃとを備える通信網を例にして、ネットワーク装置１及びネットワーク装置２の動作について説明する。
【００５６】
ネットワーク装置１は、送信ユニット１０及び受信ユニット２０を有するデータ送受信回路３０ａ、データ送受信回路３０ｂ、及びデータ送受信回路３０ｃを備える。同様に、ネットワーク装置２は、送信ユニット１０及び受信ユニット２０を有するデータ送受信回路３０ｄ、データ送受信回路３０ｅ、及びデータ送受信回路３０ｆを備える。データ送受信回路３０ａとデータ送受信回路３０ｄとはデータ回線３００ａにより接続され、データ送受信回路３０ｂとデータ送受信回路３０ｅとはデータ回線３００ｂにより接続され、データ送受信回路３０ｃとデータ送受信回路３０ｆとはデータ回線３００ｃにより接続される。なお、データ回線３００ａ乃至データ回線３００ｃによりリンクアグリゲーションが設定されている。以下の説明においては、ネットワーク装置１がデータ送信側、ネットワーク装置２がデータ受信側として説明する。
【００５７】
まず、ネットワーク装置１のデータ送受信回路３０ａ乃至データ送受信回路３０ｃのすべてが通常送信状態として動作している（ステップ１０、以下、ステップを「Ｓ」とする）と共に、ネットワーク装置２のデータ送受信回路３０ｄ乃至データ送受信回路３０ｆのすべてが通常受信状態として動作している（Ｓ１２）状態を考える。
【００５８】
ここで、ネットワーク装置１の送信側電力制御部１０６は、ネットワーク装置２に送信する送信データ量が予め定められた閾値を下回っていることを検知した場合（Ｓ１４）、データ送受信回路３０ｃを低消費電力送信状態に制御することを決定する（Ｓ１６）。そして、送信側電力制御部１０６は、データ送受信回路３０ｃを低消費電力送信状態に制御する前に、通常送信状態であるデータ送受信回路３０ａ及び／又はデータ送受信回路３０ｂからネットワーク装置２に向けて切換情報を供給する（Ｓ１８）。すなわち、送信側電力制御部１０６は、送信側データ振り分け部１０２からデータ送受信回路３０ａ及び／又はデータ送受信回路３０ｂを介して切換情報をネットワーク装置２に送信させる。なお、送信側データ振り分け部１０２は、送信側電力制御部１０６から切換情報を受け取ると、データ送受信回路３０ｃへの情報の振り分けを停止する。
【００５９】
ネットワーク装置２は、当該切換情報の受信に応じて、データ送受信回路３０ｆを低消費電力受信状態に制御する（Ｓ２２）。すなわち、ネットワーク装置２が備えるデータ送受信回路３０ｄ及び／又はデータ送受信回路３０ｅは、ネットワーク装置１から受信した切換情報を受信側データ振り分け部２０２に供給する。続いて、受信側データ振り分け部２０２は、切換情報を受信側電力制御部２０６に供給する。そして、受信側電力制御部２０６は、切換情報に応じて受信側電力供給部２００を制御し、データ送受信回路３０ｆを低消費電力受信状態にする。
【００６０】
一方、ネットワーク装置１が備える送信側電力制御部１０６は、切換情報の送信後（Ｓ１８）、予め定められた時間が経過した後に、具体的にはネットワーク装置２のデータ送受信回路３０ｆが低消費電力受信状態となった後に、送信側電力供給部１００を制御し、データ送受信回路３０ｃを低消費電力送信状態にする（Ｓ２０）。ここで、送信側電力制御部１０６は、送信側データ振り分け部１０２を介し、データ送受信回路３０ａ及び／又はデータ送受信回路３０ｂからネットワーク装置２に向けて、一定間隔で切換情報を送信させ続ける（Ｓ２４、Ｓ２６）。
【００６１】
次に、ネットワーク装置１の送信側電力制御部１０６は、ネットワーク装置２に送信する送信データ量が予め定められた閾値を上回ったことを検知した場合（Ｓ２８）、データ送受信回路３０ｃを通常送信状態に制御することを決定する（Ｓ３０）。そして、通常送信状態であるデータ送受信回路３０ａ及び／又はデータ送受信回路３０ｂからネットワーク装置２に向けて復帰情報を供給する（Ｓ３２）。すなわち、送信側電力制御部１０６は、送信側データ振り分け部１０２からデータ送受信回路３０ａ及び／又はデータ送受信回路３０ｂを介して復帰情報をネットワーク装置２に送信させる。
【００６２】
ネットワーク装置２は、当該復帰情報の受信に応じて、データ送受信回路３０ｆを通常受信状態に制御する（Ｓ３６）。すなわち、ネットワーク装置２が備えるデータ送受信回路３０ｄ及び／又はデータ送受信回路３０ｅは、ネットワーク装置１から受信した復帰情報を受信側データ振り分け部２０２に供給する。続いて、受信側データ振り分け部２０２は、復帰情報を受信側電力制御部２０６に供給する。そして、受信側電力制御部２０６は、復帰情報に応じて受信側電力供給部２００を制御し、データ送受信回路３０ｆを通常受信状態にする。
【００６３】
一方、ネットワーク装置１が備える送信側電力制御部１０６は、復帰情報の送信後（Ｓ３２）、直ちに送信側電力供給部１００を制御し、データ送受信回路３０ｃを通常送信状態にする（Ｓ３４）。そして、送信側データ振り分け部１０２は、復帰情報を受け取った後、予め定められた時間の経過後に、具体的にはネットワーク装置２のデータ送受信回路３０ｆが通常受信状態となった後に、データ送受信回路３０ｃへの情報の振り分けを開始する。
【００６４】
（実施の形態の効果）
本実施の形態に係るネットワーク装置は、データ送信回路を低消費電力送信状態にする場合に、当該データ送信回路が低消費電力送信状態になることを対向装置に通知するので、対向装置が誤ってネットワークに障害が発生したと検知することを防止できる。
【００６５】
すなわち、本実施の形態に係るネットワーク装置は、対向装置が備える所定のデータ送信回路が低消費電力送信状態になり、当該所定のデータ送信回路にネットワーク回線を介して接続しているデータ受信回路が情報を受信しない状態になった場合であっても、対向装置から切換情報を受信することができる。したがって、ネットワーク装置は、切換情報の受信に応じて当該データ受信回路を除く他のデータ受信回路と、他のデータ受信回路に接続しているネットワーク回線とを用いて、引き続きデータの送受信を継続できる。これにより、本実施の形態に係るネットワーク装置は、対向装置において所定のデータ送信回路が低消費電力送信状態になったことを適切に検知することができ、当該所定のデータ送信回路に対応するデータ受信回路を通信に用いることを防止できるので、障害発生の誤検出をすることなく、通信の信頼性を高く維持したまま消費電力を低減できる。
【００６６】
（変形例）
なお、波長分割多重（Ｗａｖｅｌｅｎｇｔｈ  Ｄｉｖｉｓｉｏｎ  Ｍｕｌｔｉｐｌｅｘｉｎｇ：ＷＤＭ）方式を採用するネットワーク装置において、複数の信号線が束ねられてデータの伝送に用いられている場合においても、本実施の形態に係るネットワーク装置が備える構成及び機能を適用することができる。また、ネットワーク回線１２０ａ乃至ネットワーク回線１２０ｃ、及びネットワーク回線２２０ａ乃至ネットワーク回線２２０ｃは、銅線、光ファイバ等の有線回線、又は無線回線のいずれも採用できる。
【００６７】
更に、例えば、図１及び図２において、複数のネットワーク回線１２０ａ乃至ネットワーク回線１２０ｃ、及びネットワーク回線２２０ａ乃至ネットワーク回線２２０ｃのうち一つ以上の回線の途中にメディアコンバータ等の伝送装置を配置することもできる。
【００６８】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００６９】
１、２  ネットワーク装置
１０  送信ユニット
２０  受信ユニット
１００  電力供給部
１０２  送信側データ振り分け部
１０４  送信側転送データ量監視部
１０６  送信側電力制御部
１０８、１１０、１１２  データ送信回路
１１４ａ、１１４ｂ、１１４ｃ  内部回線
１１６ａ、１１６ｂ、１１６ｃ  電力線
１１８ａ、１１８ｂ、１１８ｃ  信号線
１１９  電源制御線
１２０ａ、１２０ｂ、１２０ｃ  ネットワーク回線
２００  受信側電力供給部
２０２  受信側データ振り分け部
２０４  受信側転送データ量監視部
２０６  受信側電力制御部
２０８、２１０、２１２  データ受信回路
２１４ａ、２１４ｂ、２１４ｃ  内部回線
２１６ａ、２１６ｂ、２１６ｃ  電力線
２１８ａ、２１８ｂ、２１８ｃ  信号線
２１９  電源制御線
２２０ａ、２２０ｂ、２２０ｃ  ネットワーク回線
３００ａ、３００ｂ、３００ｃ  ネットワーク回線
【図１】
2011124740.tif 000003
【図２】
2011124740.tif 000004
【図３Ａ】
2011124740.tif 000005
【図３Ｂ】
2011124740.tif 000006